(57)【要約】      （修正有）【課題】位置センサーを用いて名刺の印刷シートの上端縁を示す位置信号を発生させ正確な名刺の裁断が可能な裁断装置を提供する。【解決手段】裁断装置４０は、印刷シート１０を送り出すための給紙ユニット４３、位置センサー９０、往復運動可能な直刃を有する直刃ユニット５２、及びスリッタユニット６０を備える。第１給紙ローラー５１が給紙ユニットから送り出された印刷シートを直刃ユニットへ供給し、位置センサーが直刃ユニットへ供給される印刷シートの第１列の名刺の上端縁を検出し上端縁検出信号を出力する。直刃ユニットが、上端縁検出信号により制御され、直刃により印刷シートを第１列の名刺の上端縁に沿って裁断し、次に、第１列の名刺の下端縁を直刃により裁断し、その後、順次、各列の名刺の上端縁及び下端縁を裁断し、それにより各列を順次裁断分離する。第２給紙ローラーが直刃ユニットにおいて裁断分離された名刺の各列をスリッタユニットへ順次供給する。スリッタユニット６０において名刺の側縁が裁断され、名刺が個々に分離される。【選択図】図３
0003145141.tif 000002
【実用新案登録請求の範囲】
【請求項１】
複数の名刺を列及び行をなすように配置し印刷した印刷シートを裁断し名刺を個々に分離する裁断装置であって、
印刷シートを送り出すための給紙ユニット、第１給紙ローラー、位置センサー、往復運動可能な直刃を有する直刃ユニット、第２給紙ローラー、及びスリッタユニットを備え、
第１給紙ローラーが給紙ユニットから送り出された印刷シートを直刃ユニットへ供給し、
位置センサーが直刃ユニットへ供給される印刷シートの第１列の名刺の上端縁を検出し上端縁検出信号を出力し、
直刃ユニットが、前記上端縁検出信号により制御され、直刃により印刷シートを第１列の名刺の上端縁に沿って裁断し、次に、第１列の名刺の下端縁を直刃により裁断し、その後、順次、各列の名刺の上端縁及び下端縁を裁断し、それにより各列を順次裁断分離し、
第２給紙ローラーが直刃ユニットにおいて裁断分離された各列をスリッタユニットへ順次供給し、
スリッタユニットが複数組の円形上刃及び円形下刃を有し、第２給紙ローラーから供給された各列の各名刺の右側縁及び左側縁を裁断し名刺を個々に分離することを特徴とする裁断装置。
【請求項２】
前記給紙ユニットは、複数の印刷シートを載置可能な受板、ピックアップローラー、ガイドローラー、及び分離ローラーを有し、ピックアップローラー及びガイドローラーが支持プレート上に積重ねられた印刷シートの最上部の印刷シートを分離ローラーへ送り、分離ローラーがガイドローラーにより送り出される最上部の印刷シートから他の印刷シートを分離させ、最上部の印刷シートだけが第１給紙ローラーへ送られる請求項１に記載の裁断装置。
【請求項３】
前記直刃ユニットの直刃の横寸法が前記印刷シートの横寸法を越える長さを有する請求項１又は２に記載の裁断装置。
【請求項４】
前記スリッタユニットが複数の協働する円形上刃及び円形下刃の組を有し、各組において円形上刃と円形下刃が隣接し且つそれぞれ回転可能に配置される請求項１乃至３のいずれか１項に記載の裁断装置。
【請求項５】
前記スリッタユニットが、円形上刃及び円形下刃の組数の異なるスリッタユニットと交換可能である請求項１乃至４のいずれか１項に記載の裁断装置。
【請求項６】
前記印刷シートが名刺の第１列の上端縁を表示する位置マークを印刷したものであり、前記位置センサーが直刃ユニットへ供給される印刷シートの位置マークを検出し上端縁検出信号を出力することを特徴とする請求項１乃至５のいずれか１項に記載の裁断装置。
【請求項７】
前記印刷シートがＡ４サイズ又はＡ４Ｗサイズであり、複数の名刺が５つの列及び２つの行に配置され、前記位置マークが第１列の２つの行の間の縦余白部分に配置される請求項１乃至６のいずれか１項に記載の裁断装置。
【請求項８】
前記印刷シートがＡ４サイズ又はＡ４Ｗサイズであり、複数の名刺が５つの列及び４つの行に配置され、前記位置マークが上余白部分に配置される請求項１乃至６のいずれか１項に記載の裁断装置。
【請求項９】
名刺の長辺が９１ｍｍ以下、短辺が５５ｍｍ以下である請求項８に記載の裁断装置。
【請求項１０】
Ａ４用紙１枚から２０枚以上の名刺を作成可能な請求項８に記載の裁断装置。
【考案の詳細な説明】
【考案の属する技術分野】
【０００１】
本考案は、ビジネスの場において人の紹介のために広く使用される名刺を作成するための裁断装置に関する。特に、本考案は、一般的な名刺のサイズ（例えば、５５ｍｍ×９１ｍｍ）に比較し、面積を減少させた（例えば、面積を約半分とした）省資源型の名刺を作成することが可能な裁断装置に関する。
【従来の技術】
【０００２】
従来、ビジネスの場において人を紹介するため広く使用される名刺を作成するため、複数の名刺を印刷した所定の大きさの用紙を、印刷された各名刺の上下の端縁並びに左右の側縁において剪断し、各名刺を分離する裁断装置が、例えば、特許文献１により公知である。従来の名刺は、５５ｍｍ×９１ｍｍの寸法のものが一般的であり、この寸法より幾分大きな寸法のものも使われてきた。一方、近年、地球の温暖化防止についての関心が高まり、一般的に、エコロジーを指向した環境にやさしい省エネルギー型の商品の開発や省エネルギー運動が好まれる。本考案は、一般的な名刺のサイズに比較し、面積を、例えば、約半分に減少した、エコロジー指向の省資源型の名刺の作成を可能にしようとするものである。
【特許文献１】特開２００１−１９８８８７号公報。
【考案の開示】
【考案が解決しようとする課題】
【０００３】
従来技術においては、一般的な名刺製造方法は、１枚の用紙に複数の名刺を行列をなすように印刷し、その後、用紙に印刷された各名刺の上下端縁及び左右側縁を裁断し、名刺を個々に分離して製造する。このような従来の製造方法においては、通常、用紙の上端縁を基準として各名刺の上下端縁が裁断される。しかしながら、このような従来の製造方法の場合、印刷段階の用紙の送りのバラツキ等により、用紙の上端縁と名刺記載事項の上端縁との間の距離が各印刷シートで一定せず、位置ずれがある場合、作成される名刺の記載事項が切断後の各名刺の最適の位置に配置されないという問題があった。特に、面積の小さな名刺を作成する場合においては、小さなずれであっても目立つという問題があった。本考案の目的は、省資源型の面積の小さな名刺を裁断し分離する場合においても、名刺の記載事項が各名刺の正しい位置に配置され、記載事項の配置のずれを最少にすることができる名刺作成用裁断装置を提供することにある。
【０００４】
本考案は、また、省エネルギー（省材料）の観点から省材料名刺を作成するのに好適な名刺作成用裁断装置を提供することを目的とする。本考案は、更に、所定用紙に名刺を印刷したときに名刺の位置ずれがあっても名刺と共に印刷された位置マークを位置センサーにより読み取り、位置センサーからの信号に基づき正確な裁断が可能な名刺作成用裁断装置を提供することを目的とする。本考案は、更に、スリッタユニットを交換することにより異なるサイズの名刺を作成するのに好適な名刺作成用裁断装置を提供することを目的とする。本考案のその他の目的及び利点は、以下の説明及び添付の図面及び特許請求の範囲の記載において明らかにされる。
【課題を解決するための手段】
【０００５】
本考案は、複数の名刺を列及び行をなすように配置し印刷した印刷シートを裁断し名刺を個々に分離する裁断装置に存する。本考案の裁断装置は、印刷シートを送り出すための給紙ユニット、第１給紙ローラー、位置センサー、往復運動可能な直刃を有する直刃ユニット、第２給紙ローラー、及びスリッタユニットを備える。本考案の裁断装置において、第１給紙ローラーが給紙ユニットから送り出された印刷シートを直刃ユニットへ供給し、位置センサーが直刃ユニットへ供給される印刷シートの第１列の名刺の上端縁を検出し上端縁検出信号を出力し、直刃ユニットが、前記上端縁検出信号により制御され、直刃により印刷シートを第１列の名刺の上端縁に沿って裁断し、次に、第１列の名刺の下端縁を直刃により裁断し、その後、順次、各列の上端縁及び下端縁を裁断し、それにより名刺の各列を順次裁断分離し、第２給紙ローラーが直刃ユニットにおいて裁断分離された名刺の各列をスリッタユニットへ順次供給し、スリッタユニットが複数組の円形上刃及び円形下刃を有し、第２給紙ローラーから供給された各列の各名刺の右側縁及び左側縁を切断し名刺を個々に分離する。
【０００６】
本考案の裁断装置は、次の特徴を備えることができる。（１）給紙ユニットは、複数の印刷シートを載置可能な受板、ピックアップローラー、ガイドローラー、及び分離ローラーを有する。（２）ピックアップローラー及びガイドローラーが支持プレート上に積重ねられた印刷シートの最上部の印刷シートを分離ローラーへ送り、分離ローラーがガイドローラーにより送り出された最上部の印刷シートから他の印刷シートを分離させ、最上部の印刷シートだけが第１給紙ローラーへ送られる。（３）直刃ユニットの直刃の横寸法が印刷シートの横寸法を越える長さを有する。（４）スリッタユニットが複数の協働する円形上刃及び円形下刃の組を有する。（５）スリッタユニットの円形上刃と円形下刃が隣接し且つそれぞれ回転可能に配置される。（６）スリッタユニットが、円形上刃及び円形下刃の組数の異なるスリッタユニットと交換することが可能である。（７）印刷シートが名刺の第１列の上端縁を表示する位置マークを印刷したものである。（８）位置センサーが直刃ユニットへ供給される印刷シートの位置マークを検出し上端縁検出信号を出力する。（９）印刷シートがＡ４サイズ又はＡ４Ｗサイズであり、複数の名刺が５つの列及び２つの行に配置され、前記位置マークが第１列の２つの行の間の縦余白部分に配置される。（１０）印刷シートがＡ４サイズ又はＡ４Ｗサイズであり、複数の名刺が５つの列及び４つの行に配置され、前記位置マークが上余白部分に配置される。（１１）印刷シートに印刷された名刺の長辺が６０ｍｍ以下、短辺が５３ｍｍ以下である。（１２）裁断装置は、Ａ４用紙１枚から２０枚以上の名刺を作成可能とされる。
【考案の実施の形態】
【０００７】
図面を参照し、本考案の実施の態様を説明する。図１は、本考案の１つの実施例の裁断装置４０の概略斜視図である。図１に示すように、本考案の裁断装置４０は、側板４１、４２を備え、両側板の間に受板４４を有する給紙ユニット４３が配置される。裁断しようとする１又は複数の印刷シート１０は、給紙ユニット４３の受け板４４上へ供給される。
【０００８】
図２は、本考案の裁断装置により裁断され得る印刷シート１０の第１の事例である。図２の印刷シート１０は、Ａ４サイズ（横２１０ｍｍ×縦２９７ｍｍ）又はＡ４Ｗサイズ（横２３５ｍｍ×縦３１８ｍｍ）の用紙であり、複数の名刺Ｎ、Ｎ・・が５つの列（第１列Ｌ１乃至第５列Ｌ５）及び２つの行（第１行Ｍ１及び第２行Ｍ２）をなすように配置し印刷されている。第１行Ｍ１と第２行Ｍ２の間に縦余白部分１６が配置される。また、隣接する列の間に横余白部分１２１〜１２４が配置される。縦余白部分１６及び横余白部分１２１〜１２４は、各名刺Ｎの側縁３２、３３又は端縁２２〜２４に隣接し、各名刺の文字、図形の印刷インキや着色料が隣接する名刺上にはみ出すことを防止する。また、位置マーク１１は、縦余白部分１６内に配置され、位置マーク１１の上端縁が第１列Ｌ１の名刺の上端縁２１と一直線をなすように配置される。位置マークの形状寸法は、例えば、６ｍｍ×６ｍｍの矩形である。
【０００９】
図２の印刷シート１０において、各名刺Ｎは、標準名刺サイズ（短辺５５ｍｍ×長辺９１ｍｍ）の寸法であり、上余白部分１２は、用紙の上端縁１２’から６ｍｍの幅を有し、左余白部分１４は、用紙の左側縁１４’から９ｍｍの幅を有し、右余白部分１５は、用紙の右側縁１５’から９ｍｍの幅を有する。
【００１０】
図５は、本考案の裁断装置により裁断され得る印刷シート１０の第２の事例である。図５の印刷シート１０は、Ａ４サイズ又はＡ４Ｗサイズの用紙に複数の名刺Ｎ、Ｎ・・が５つの列（第１列Ｌ１乃至第５列Ｌ５）及び４つの行（第１行Ｍ１乃至第４行Ｍ４）をなすように配置し印刷されている。各列Ｌ１〜Ｌ５は、それぞれ４枚の名刺を含む。図５の印刷シート１０の各名刺Ｎの寸法は、横寸法ａが４５．５ｃｍ縦寸法ｂが５５．０ｍｍであり、標準名刺サイズ（短辺５５ｍｍ×長辺９１ｍｍ）の半分の広さ（面積）である。これにより名刺１枚当たりを製造するための紙消費量を約半分とすることができる。印刷シート１０は、裁断装置において、裁断位置を決定するための位置マーク１１を含む。図５の印刷シート１０において、位置マーク１１は、横寸法６ｍｍ、縦寸法５ｍｍの矩形であり、上余白部分１２に印刷され、用紙の上端縁１２’から位置マーク１１の上端縁までの寸法ｆが、８ｍｍである。また、位置マークの下端縁から第１列Ｌ１の名刺の上端縁２１までの寸法は、１ｍｍである。図５の印刷シート１０において、隣接する名刺Ｎ、Ｎの間には、余白部分がなく、第１列Ｌ１の下端縁２２と第２列Ｌ２の上端縁２３が一致しており、第２列Ｌ２〜第５列Ｌ５列についても同様である。
【００１１】
図３は、本考案の実施例の裁断装置４０の図解的な垂直断面図である。裁断装置４０は、複数の名刺を列及び行をなすように配置し印刷した印刷シート１０を受入れ、往復運動可能な直刃を有する直刃ユニット５２へ向けて送り出すための給紙ユニット４３、第１給紙ローラー５１、第２給紙ローラー５８、及びスリッタユニット６０、給紙センサー８２、位置センサー９０等を備える。給紙ユニット４３は、印刷シート１０を順次受取るか又は複数枚の印刷シートを一時に受取り載置するための受板（コルクマット及びそれに連続するゴムマット）４４を備える。また、給紙ユニット４３は、最上部の印刷シート１０に係合しガイドローラ４７へ向けて移動させるためのピックアップローラー４５、ピックアップローラ４５により移動される最上部の印刷シート１０を第１給紙ローラー５１の方へ案内するガイドローラー４７、分離ローラー５０、ピックアップローラ４５とガイドローラを同期回転させる伝動ベルト４６等を有する。分離ローラー５０は、ガイドローラー４７により送り出される最上部の印刷シートから他の印刷シートを分離させ、最上部の印刷シートだけを第１給紙ローラー５１へ送る。
【００１２】
第１給紙ローラー５１は、給紙ユニット４３から送り出された印刷シート１０を直刃ユニット５２へ向けて移動させる。位置センサー９０が直刃ユニット５２へ向けて移動中の印刷シート１０の第１列Ｌ１の名刺の上端縁２１又は位置マーク１１を光学的に検出し上端縁検出信号を出力する。直刃ユニット５２が、位置センサー９０から出力される上端縁検出信号により制御され、移動される印刷シート１０に同期して直刃を作動させて第１列の名刺の上端縁２１を裁断し、印刷シート１０の上余白部分１２を分離させ、次に、名刺の第１列の下端縁２２を裁断し、その後、各列の名刺の上端縁及び下端縁２３−３０を順次切断し、それにより名刺の第１列Ｌ１〜第５列Ｌ５を順次分離する。直刃ユニット５２は、上直刃５３及び下直刃５４を含み、これらの横寸法が印刷シート１０の横寸法（印刷シートがＡ４の場合、２１０ｍｍ）を越える長さを備え、印刷シート１０を横方向全体にわたり一度の上下動により裁断可能にされる。
【００１３】
裁断された名刺の第１列Ｌ１〜第５列Ｌ５は、直刃ユニット５２に隣接配置された第２給紙ローラー５８により、順次、スリッタユニット６０へ移動され、スリッタユニット６０において各側縁が平行して裁断され１枚１枚の名刺に分離される。分離された各名刺は、第３給紙ローラー８０、除電ブラシ８６を経て、排紙トレー８８へ排出される。除電ブラシ８６は、各名刺の静電気を除去する作用を行うものである。
【００１４】
図４は、本考案の裁断装置に使用可能なスリッタユニット６０の側面図である。スリッタユニット６０は、上方軸６２に固定され回転される５枚の円形上刃６４、６６、６８、７０、７２及び各円形上刃とそれぞれ協働する５枚の円形下刃６５、６７、６９、７１、７３を有する。円形下刃は、下方軸６３に固定され下方軸により回転される。協働する各組の円形上刃及び円形下刃により、名刺の側縁３１〜３４（図２）が同時平行して裁断され、各名刺が１枚１枚に分離される。図５の印刷シート１０は、５つの側縁３１〜３５を有するので、スリッタユニット６０は、５組の協働する円形上刃及び円形下刃を有するものが使用される。スリッタユニット６０は、裁断装置４０に交換可能に取り付けられ、裁断される印刷シート１０の形態（用紙の寸法、配置される複数の名刺の寸法、配置等）に対応させ、異なる形態のものが使用可能にされる。
【図面の簡単な説明】
【００１５】
【図１】本考案の実施例の裁断装置の概略斜視図。
【図２】本考案の裁断装置により裁断され得る印刷シートの第１の事例。
【図３】本考案の実施例の裁断装置の概略垂直断面図。
【図４】本考案の裁断装置に使用可能なスリッタユニットの側面図。
【図５】本考案の裁断装置により裁断され得る印刷シートの第２の事例である。
【符号の説明】
【００１６】
１０：印刷シート、１１：位置マーク、１２：上余白部分、１２’：用紙の上端縁、１３：下余白部分、１４：左余白部分、１４’：用紙の左側縁、１５：右余白部分、１５’：用紙の右側縁、２１、２３、２５、２７、２９：第１列−第５列の名刺の上端縁、２２、２４、２６、２８、３０：第１列−第５列の名刺の下端縁、３１−３５：名刺の側縁、４０：裁断装置、４１、４２：側板、４３：給紙ユニット、４４：受板、４５：ピックアップローラー、４７：ガイドローラー、４６：伝動ベルト、５０：分離ローラー、５１：第１給紙ローラー、５２：直刃ユニット、５３、５４：直刃、５８：第２給紙ローラー、６０：スリッターユニット、６２：上方軸、６３：下方軸、６４:左上刃、６５：左下刃、７２：右上刃、７３：右下刃、６６、６８、７０：中間上刃、６７、６９、７１：中間下刃、８０：第２給紙ローラー、８２：給紙センサー、８６：除電ブラシ、８８：排紙トレイ、９０：位置センサー、Ｌ１−Ｌ５：名刺の第１列−第５列、、Ｍ１−Ｍ４：名刺の第１行−第４行、Ｎ：名刺。
【図１】
0003145141.tif 000003
【図２】
0003145141.tif 000004
【図３】
0003145141.tif 000005
【図４】
0003145141.tif 000006
【図５】
0003145141.tif 000007
【手続補正書】
【提出日】平成20年7月17日(2008.7.17)
【手続補正１】
【補正対象書類名】実用新案登録請求の範囲
【補正対象項目名】請求項１０
【補正方法】変更
【補正の内容】
【請求項１０】
Ａ４サイズ又はＡ４Ｗサイズの印刷シート１枚から２０枚の名刺を作成可能な請求項８に記載の裁断装置。